(57)【要約】【課題】所望の測定データファイルへのアクセスを容易にすることができるデータ管理装置を実現する。【解決手段】測定データをファイル化し、記憶媒体に保存して管理するデータ管理装置に関する。記憶媒体の指定フォルダに存在するファイル数を検出するファイル数検出手段と、ファイル数検出手段で検出したファイル数が所定の数を超えた場合に指定フォルダとは別のフォルダを作成するフォルダ作成手段と、所定の数を超えた分のファイルをフォルダ作成手段で作成したフォルダに移動するファイル移動手段とを設けた。【選択図】図１
2007334397.tif 000002
【特許請求の範囲】
【請求項１】
測定データを内部メモリ制御部で制御して内部メモリへ格納し、該内部メモリに格納された測定データを記憶媒体制御部で制御して測定データファイルとして記憶媒体の指定フォルダに格納して管理するデータ管理装置であって、
該記憶媒体制御部は、前記記憶媒体の指定フォルダに存在するファイル数を検出するファイル数検出手段と、
該ファイル数検出手段で検出したファイル数が所定の数を超えた場合に前記指定フォルダとは別のフォルダを作成するフォルダ作成手段と、
前記所定の数を超えた分のファイルを前記フォルダ作成手段で作成したフォルダに移動するファイル移動手段と、
を有することを特徴とするデータ管理装置。
【請求項２】
前記フォルダ作成手段は、フォルダを作成した通し番号をフォルダ名に付加することを特徴とする請求項１記載のデータ管理装置。
【請求項３】
前記フォルダ作成手段は、ファイルの日付情報をフォルダ名に付加することを特徴とすることを特徴とする請求項１又は２記載のデータ管理装置。
【請求項４】
前記フォルダ作成手段は、ファイルの拡張子別にフォルダを作成し、ファイルの拡張子をフォルダ名に付加することを特徴とする請求項１乃至３のいずれかに記載のデータ管理装置。
【請求項５】
前記ファイル作成手段は、前記指定フォルダの下にサブフォルダを作成することを特徴とする請求項１乃至４のいずれかに記載のデータ管理装置。
【請求項６】
前記ファイル作成手段は、前記指定フォルダと同階層にフォルダを作成することを特徴とする請求項１乃至４のいずれかに記載のデータ管理装置。
【請求項７】
前記ファイル移動手段は、前記指定フォルダに存在するファイルのうち、最も古いファイルから順番に前記フォルダ作成手段で作成したフォルダへ移動することを特徴とする請求項１乃至６のいずれかに記載のデータ管理装置。
【請求項８】
前記ファイル移動手段は、移動するファイルを圧縮してフォルダへ格納することを特徴とする請求項１乃至７のいずれかに記載のデータ管理装置。
【発明の詳細な説明】
【技術分野】
【０００１】
本発明は、測定データをファイル化し、記憶媒体に保存して管理するデータ管理装置に関し、特に、記憶媒体のフォルダ構成を改善したデータ管理装置に関するものである。
【背景技術】
【０００２】
直流電圧、熱電対、測温抵抗体及び接点等の入力を測定する測定機器では、入力信号を電子化し測定データとして記憶媒体に保存しており、この保存したデータをパーソナルコンピュータで処理したり、パーソナルコンピュータ上で測定データの波形表示やプリンタへの出力を行う等、利用可能としている。
【０００３】
図４は、従来のデータ管理装置の構成図である。
電圧等の入力値は、測定回路１０でデジタル値に変換され、内部メモリ制御部２１によって制御され、測定データとして内部メモリ３０に格納される。
内部メモリ３０に格納された測定データは、記憶媒体制御部２２によって制御され、あらかじめ指定された周期等により、測定データファイルとして記憶媒体４０に格納される。
【０００４】
図５は、従来のデータ管理装置におけるフォルダ構成を示した図である。
記憶媒体制御部２２では、測定データをファイル化し、記憶媒体４０上のあらかじめ指定されたフォルダ４１ｂへ格納する。指定フォルダ４１ｂの下には、記憶媒体４０の容量が一杯になるまで測定データファイルが格納される。
【０００５】
フォルダのサイズを制御してデータファイルを保存することができるデータ保存装置の構成を示したものとして、例えば特許文献１に記載されたものがあった。
【０００６】
【特許文献１】特開２００６−１１９７１号公報
【発明の開示】
【発明が解決しようとする課題】
【０００７】
従来例では、次のような問題点があった。
測定データファイルを格納するフォルダは、あらかじめ指定することと変更することは可能であるが、格納するフォルダを自動的に切り換える機能は有していない。そのため、記憶媒体が大容量の場合には、記憶媒体の容量が一杯になるまで測定データを格納し、測定データを格納するフォルダに格納されるファイル数が膨大となることもある。
多数のファイルが格納された記憶媒体のフォルダは、パーソナルコンピュータや測定機器でのファイルアクセスに時間がかかってしまう。また、ユーザのファイル検索や操作に要する作業にも時間がかかってしまうという問題点があった。
【０００８】
本発明は上述した問題点を解決するためになされたものであり、所望の測定データファイルへのアクセスを容易にすることができるデータ管理装置を実現することを目的とする。
【課題を解決するための手段】
【０００９】
このような課題を達成するために、本発明は次のとおりの構成になっている。
（１）測定データを内部メモリ制御部で制御して内部メモリへ格納し、該内部メモリに格納された測定データを記憶媒体制御部で制御して測定データファイルとして記憶媒体の指定フォルダに格納して管理するデータ管理装置であって、
該記憶媒体制御部は、前記記憶媒体の指定フォルダに存在するファイル数を検出するファイル数検出手段と、
該ファイル数検出手段で検出したファイル数が所定の数を超えた場合に前記指定フォルダとは別のフォルダを作成するフォルダ作成手段と、
前記所定の数を超えた分のファイルを前記フォルダ作成手段で作成したフォルダに移動するファイル移動手段と、
を有することを特徴とするデータ管理装置。
【００１０】
（２）前記フォルダ作成手段は、フォルダを作成した通し番号をフォルダ名に付加することを特徴とする（１）記載のデータ管理装置。
【００１１】
（３）前記フォルダ作成手段は、ファイルの日付情報をフォルダ名に付加することを特徴とすることを特徴とする（１）又は（２）記載のデータ管理装置。
【００１２】
（４）前記フォルダ作成手段は、ファイルの拡張子別にフォルダを作成し、ファイルの拡張子をフォルダ名に付加することを特徴とする（１）乃至（３）のいずれかに記載のデータ管理装置。
【００１３】
（５）前記ファイル作成手段は、前記指定フォルダの下にサブフォルダを作成することを特徴とする（１）乃至（４）のいずれかに記載のデータ管理装置。
【００１４】
（６）前記ファイル作成手段は、前記指定フォルダと同階層にフォルダを作成することを特徴とする（１）乃至（４）のいずれかに記載のデータ管理装置。
【００１５】
（７）前記ファイル移動手段は、前記指定フォルダに存在するファイルのうち、最も古いファイルから順番に前記フォルダ作成手段で作成したフォルダへ移動することを特徴とする（１）乃至（６）のいずれかに記載のデータ管理装置。
【００１６】
（８）前記ファイル移動手段は、移動するファイルを圧縮してフォルダへ格納することを特徴とする（１）乃至（７）のいずれかに記載のデータ管理装置。
【発明の効果】
【００１７】
本発明によれば次のような効果がある。
指定フォルダの下に存在するファイル数を所定の数に制限することにより、パーソナルコンピュータ及び測定機器における記憶媒体の指定フォルダへのアクセス時間を短縮することができる。
また、最新の所定数のフォルダが指定フォルダに格納されているため、ファイルの検索時間を短縮することができる。
【発明を実施するための最良の形態】
【００１８】
以下、図面を用いて本発明を詳細に説明する。
図１は本発明の一実施例を示す構成図である。前出の図と同一のものは同一符号を付ける。
図１で、電圧等の入力値は、測定回路１０でデジタル値に変換され、内部メモリ制御部２１によって制御され、測定データとして内部メモリ３０に格納される。
内部メモリ３０に格納された測定データは、記憶媒体制御部２２０によって制御され、あらかじめ指定された周期等により、測定データファイルとして記憶媒体４０に格納される。
【００１９】
記憶媒体制御部２２０は、記憶媒体４０の指定フォルダに存在するファイル数を検出するファイル数検出手段２２１と、ファイル数検出手段２２１で検出したファイル数が所定の数を超えた場合に指定フォルダとは別のフォルダを作成するフォルダ作成手段２２２と、所定の数を超えた分のファイルをフォルダ作成手段２２２で作成したフォルダに移動するファイル移動手段２２３とからなる。
【００２０】
図２は本発明のフォルダ構成を示した図である。図１の構成図において、測定データをファイル化して、記憶媒体４０上のフォルダに格納する動作を説明する。
図２で、記憶媒体制御部２２０は、測定データを内部メモリ３０から読み出し、測定データファイルを作成して、記憶媒体４０のあらかじめ指定されたフォルダ４２ｂへ格納する。
ファイル数検出手段２２１は、記憶媒体４０の指定フォルダ４２ｂに存在するファイル数が所定の数を超えていないかどうかを監視している。ファイル数検出手段２２１が記憶媒体４０の指定フォルダ４２ｂに存在するファイル数が所定の数を超えたことを認識すると、フォルダ作成手段２２２によって指定フォルダ４２ｂの下にサブフォルダ４２ｃが作成される。
【００２１】
ファイル移動手段２２３は、所定の数を超えたファイルをフォルダ作成手段２２２によって作成したサブフォルダ４２ｃへ移動する。移動するファイルは、指定フォルダ４２ｂに存在するファイルのうち、最も古いファイルから順番に選択する。
【００２２】
このように、指定フォルダ４２ｂに存在するファイル数を所定の数に制限するため、パーソナルコンピュータや測定機器における記憶媒体４０の指定フォルダ４２ｂへのアクセス時間を短縮することができる。
また、最新の所定数のファイルが指定フォルダ４２ｂに格納されているため、ファイルの検索性を向上することができる。
【００２３】
フォルダ作成手段２２２によって作成されたサブフォルダ４２ｃ，４２ｄのサブフォルダ名には、サブフォルダ４２ｃ，４２ｄを作成した通し番号を付加することができる。これにより、作成されたフォルダ数と、フォルダが作成された順序を容易に認識することができ、フォルダの欠損がないことも容易に確認することができる。
【００２４】
図３は本発明の他のフォルダ構成を示した図である。
図３で、指定フォルダ４３ｂの所定数を超えたファイルは、ファイルの作成日付別にサブフォルダ４３ｃ，４３ｄ，４３ｅを作成してファイルを格納した例を示している。例えば、フォルダ作成手段２２２がサブフォルダを作成する単位として、１ヶ月単位を指定することにより、１ヶ月ごとにサブフォルダを作成し、その月に作成されたファイルのみをそのフォルダに格納することが可能となる。
サブフォルダ名には、サブフォルダに格納されている最も古いファイルの情報と、最も新しいファイルの情報を含めることも可能である。例えば、図３のサブフォルダ４３ｃのサブフォルダ名（DATA0_060101-060131）は、２００６年１月１日から２００６年１月３１日までのファイルが格納されていることを示している。
フォルダ名に日付情報を含めることで、複数存在するフォルダから日付をキーワードにすることができ、ファイル検索が容易になる。
【００２５】
フォルダ作成手段２２２がフォルダを作成する際に、ファイルの拡張子別にフォルダを作成するようにすることもできる。この場合、フォルダ名に拡張子の文字列を使用することにより、ファイルの種類で容易に必要なファイルを検索することができる。
また、ファイル移動手段２２３がフォルダへファイルを格納する際に、ファイルを圧縮する構成とすることにより、より多くのファイルの格納が可能となる。
【００２６】
ファイル作成手段２２２がフォルダを作成する条件として、ファイル数、ファイル日付、ファイル種類等をそれぞれ個別に指定することもできるし、これらを組み合わせて指定することもできる。
また、これらフォルダ名として、フォルダの通し番号、格納されているファイルの日付情報、格納されているファイルの拡張子の文字列等を組み合わせて使用することで、必要なファイルへのアクセスをさらに容易にすることができる。
【００２７】
さらに、ファイル作成手段２２２で作成したサブフォルダに関する情報（フォルダ名、フォルダ作成日時、ファイル名等）を、情報ファイルとして出力し、指定フォルダに格納しておく構成としてもよい。本発明では、指定フォルダに格納される測定データファイルのファイル数が所定の数を超えないように制御され、測定データファイルが格納されるフォルダが自動的に変化するため、この情報ファイルを確認することにより、所望の測定データファイルがどのフォルダに格納されているのかを容易に確認することができる。
【００２８】
この例では、指定フォルダのファイル数が所定の数を超えた場合に、指定フォルダの下にサブフォルダを作成する構成を示したが、同階層に指定フォルダとは別のフォルダを作成する構成にしてもよい。
【図面の簡単な説明】
【００２９】
【図１】本発明の一実施例を示す構成図である。
【図２】本発明のフォルダ構成を示した図である。
【図３】本発明の他のフォルダ構成を示した図である。
【図４】従来のデータ管理装置の構成図である。
【図５】従来のデータ管理装置におけるフォルダ構成を示した図である。
【符号の説明】
【００３０】
２１  内部メモリ制御部
３０  内部メモリ
４０  記憶媒体
４２ｂ，４３ｂ  指定フォルダ
４２ｃ，４２ｄ，４３ｃ，４３ｄ，４３ｅ  サブフォルダ
２００  制御部
２２０  記憶媒体制御部
２２１  ファイル数検出手段
２２２  フォルダ作成手段
２２３  ファイル移動手段
【図１】
2007334397.tif 000003
【図２】
2007334397.tif 000004
【図３】
2007334397.tif 000005
【図４】
2007334397.tif 000006
【図５】
2007334397.tif 000007